(57)【要約】【課題】  ベルトの長さを調節する部分を簡単にし、器具全体を小型、軽量化することを得る。【解決手段】  丸棒４を挟み込んだベルト８を、押さえ部３の内側面に摺動可能に設ける。【選択図】  図１
2005192960.tif 000002
【特許請求の範囲】
【請求項１】
支持箱（１）の一端に支持棒（２）を固着し、他の一端に設けた押さえ部（３）に、丸棒（４）に取り付けたバネ棒（５）の先端を嵌着し支持板（６）の一端にベルト（７）及びバネ板（９）を設け、他の一端に湾曲部（１０）を設けたベルト調節具において、ベルト（８）が丸棒（４）を挟み込む状態で押さえ部（３）の内側面を摺動し得るように取り付け、支持箱（１）と支持板（６）とが支持棒（２）及び湾曲部（１０）を介して着脱可能となるように設けて構成したことを特徴とするベルト調節具。
【請求項２】
ベルト（８）を前後に摺動させることにより、これに応じて該ベルト（８）に挟み込まれて設けられた丸棒（４）がバネ棒（５）の弾性によって前後に移動し、ベルト（８）が丸棒（４）と押さえ部（３）によって、留められたり、緩められたりするようにしたことを特徴とする請求項１記載のベルト調節具。
【請求項３】
バネ板（９）の弾性によって支持棒（２）と湾曲部（１０）との着脱が確実に行えるようにバネ板（９）を適切な位置に設け、又、ベルト（８）の緩みを防止するために丸棒（４）及び押さえ部（３）と、支持棒（２）との位置関係を適切に保つようにした請求項１記載のベルト調節具。
【発明の詳細な説明】
【発明の詳細な説明】
【技術分野】
【０００１】  本発明は、ベルトの長さを簡単に調節できる小型で軽量な器具に関するものである。
【背景技術】
【０００２】  従来、ベルトの調節具としては、緩みやすいものや比較的大型のものが多いように思われる。
【発明が解決しようとする課題】
【０００３】  本発明は、前述のような問題点に鑑みて成されたものであり、バネ棒を設けた丸棒を挟み込んだベルトを押さえ部によって押さえることにより、簡単にベルトの長さの調節を行える器具を提供しようとするものである。
【課題を解決するための手段】
【０００４】  上記の目的を達成するために、支持箱の一端に支持棒を固着し、他の一端に設けた押さえ部に、丸棒に取り付けたバネ棒の先端を嵌着し支持板の一端にベルト及びバネ板を設け、他の一端に湾曲部を設けたベルト調節具において、ベルトが丸棒を挟み込む状態で押さえ部の内側面を摺動し得るように取り付け、支持箱と支持板とが支持棒及び湾曲部を介して着脱可能となるように設けて成るものである。
【０００５】  上記のベルトの摺動及び固定が円滑に行えるように丸棒の直径及びバネ棒の弾力性を適切にするとよい。
【０００６】  又、バネ棒は丸棒に設けた穴に嵌め込んで曲げ加工して取り付け、バネ棒の先端は十分な深さを有する留め穴に嵌め込んで脱落しにくいようにすることが好ましい。
【０００７】  更に、バネ板の弾性及びバネ板と湾曲部との位置関係を適切に保つことによって、バネ板が支持棒から外れるのを防止することが可能となる。
【０００８】  そして、支持箱、バネ棒と丸棒、及び、バネ板と支持板は、鉄鋼材料を用いて加工する他、合成樹脂等によって一体物として制作することもできる。
【０００９】  又、支持板とベルトの取り付けは、留め板及びリベットによる他、支持板にフックを設けて取りつけてもよい。
【発明を実施するための最良の形態】
【００１０】  発明の実施の形態について図面を参照して説明する。【００１１】  図１において、全体が小型で軽量化されている。【００１２】  図２においては、丸棒４の穴１１にバネ棒５が取り付けられ、バネ棒５の先端が留め穴１２に嵌め込まれ、支持棒２は支持箱１にかしめて固着されており、ベルト７は留め板１３、リベット１４、１５、１６、１７によって支持板６に取り付けられている。【００１３】  図３において、ベルト８は丸棒４を挟み込んで押さえ部３に留められており、支持板６は支持棒２に掛けられてバネ板９によってロックされている。そして、矢印は支持板６を外す際の方向を示す。
【発明の効果】
【００１４】  本発明は、以上説明したように構成されているので以下に記載されているような効果を得ることができる。
【００１５】  支持板６を持って矢印の方向に引き下げることにより、支持板６を支持棒２から外すことができ、又、この逆方向に押し上げることによって支持棒に嵌めることができる。
【００１６】  支持板６を支持箱１から外した状態で支持箱１に係止されているベルト８の上下を、重ねた状態で支持箱１の内側方向に押し込むことにより、係止されていたベルト８を緩めることができる。そして、一定の長さに緩めた後、上下いずれか一方のベルト８を逆方向に引くことによって、ベルト８の長さを調節することができる。
【図面の簡単な説明】
【図１】ベルト調節具の斜視図である。
【図２】ベルト調節具の要部断面図である。
【図３】ベルト調節具の要部縦断面図である。
【符号の説明】
１    支持箱
２    支持棒
３    押さえ部
４    丸棒
５    バネ棒
６    支持板
７、８    ベルト
９    バネ板
１０  湾曲部
１１  穴
１２  留め穴
１３  留め板
１４、１５、１６、１７      リベット
１８  バンド
【図１】
2005192960.tif 000003
【図２】
2005192960.tif 000004
【図３】
2005192960.tif 000005
【手続補正書】
【提出日】平成16年7月13日(2004.7.13)
【手続補正１】
【補正対象書類名】明細書
【補正対象項目名】全文
【補正方法】変更
【補正の内容】
【書類名】明細書    【発明の名称】ベルト調節具    【発明の詳細な説明】    【０００１】    【技術分野】  本発明はベルトの長さを簡単に調節できる小型で軽量な器具に関するものである。    【０００２】    【背景技術】  従来のベルトの調節具に関連するものにおいては、折り曲げたベルトの内側に設けたスプリングの弾性によって該ベルトの外側がケース内を摺動するようにしている（例えば実願昭７−５９６１号公報参照）。或いは筒の中にスプリングを設けて突起部を上下させ該筒に折り曲げて取り付けたベルトがケ−ス内を摺動するようにしている（例えば実願昭５３−１０９７４６号参照）    【０００３】    【発明が解決しようとする課題】  従来のベルトの調節に関する器具においては、スプリングの弾性を利用しているとはいえベルトがケ−ス内を常に前後に摺動して一定位置に止まらなかったり段階的にベルトの長さを調節するものであったりしたのでベルトの調節を無段階に行う事ができず、調節後もベルトをケ−ス内に確実に係止しする事ができないという問題点があった。    【０００４】  本発明は、スプリングの弾性を利用して簡単な構造によってベルトの長さの調節を行い、調節後はベルトをケ−ス内に確実に係止できる器具を得る事を目的としている。    【０００５】    【課題を解決するための手段】  上記の目的を達成するために、バネ棒の中央部を丸棒に固着し、その両端は各々留め穴に嵌着して、バネ棒の弾性によって丸棒が支持箱の外側方向に引かれるように設け、ベルトが丸棒と留め板によって押さえられて係止されるようにしたベルト調節具において、ベルトが支持箱の内側方向に戻らないように、ベルトに近接した位置に湾曲部を設けてなるものである。    【０００６】  バネ棒の弾力は丸棒を支持箱の外側方向に移動させるように働かせしめ、ベルトが丸棒と留め板に押し挟まれて係止される程度の強さとするが、この強さはベルトを調節する際にベルトを支持箱の内側方向に移動し得るように、即ち、丸棒を逆方向にも容易に移動し得る範囲を越えないものとするのが良い。    【０００７】  又、係止されたベルトの緩みを防止するために、湾曲部は出来るだけベルトに近接して設けると良い。    【０００８】    【発明を実施するための最良の形態】  発明の実施の形態について図面を参照して説明する。  図１において、全体が小型で軽量化されている。    【０００９】  図２においては、丸棒４の穴１１にバネ棒５が取り付けられ、バネ棒５の先端が留め穴１２に嵌め込まれ、支持棒２は支持箱１に固着されており、ベルト７は留め板１３、リベット１４、１５、１６、１７によって支持板６に取り付けられている。    【００１０】  図３において、ベルト８は丸棒４と押さえ部３によって係止されており、支持板６は支持棒２に掛けられてバネ板９によってロックされ、湾曲部１０はベルト８に近接して設けられている。    【００１１】    【発明の効果】  本発明は、以上説明したように構成されているので以下に記載されているような効果を得る事ができる。    【００１２】  支持板６を支持箱１から外した状態にし、支持箱１に係止されているベルト８の上下を重ね持って、支持箱１の内側方向に押し込む事により、係止されていたベルト８を緩める事が出来る。��して、一定の長さに緩めた後、上下いずれか一方のベルト８を逆方向に引くことによって、ベルト８の長さを調節することができる。    【図面の簡単な説明】    【図１】  ベルト調節具の斜視図である。    【図２】  ベルト調節具の要部断面図である。    【図３】  ベルト調節具の要部縦断面図である。    【符号の説明】１    支持箱２    支持棒３    押さえ部４    丸棒５    バネ棒６    支持板７、８    ベルト９    バネ板１０  湾曲部１１  穴１２  留め穴１３  留め板１４、１５、１６、１７    リベット１８  バンド【手続補正２】
【補正対象書類名】特許請求の範囲
【補正対象項目名】全文
【補正方法】変更
【補正の内容】
【特許請求の範囲】
【請求項１】
バネ棒５の中央部を丸棒４に固着し、その両端は各々留め穴１２に嵌着して、バネ棒５の弾性によって丸棒４が支持箱１の外側方向に引かれるように設け、ベルト８が丸棒４と留め板１３によって押さえられて係止されるようにしたベルト調節具において、ベルト８が支持箱１の内側方向に戻らないように、ベルト８に近接した位置に湾曲部１０を設けたことを特徴とするベルト調節具。
【手続補正書】
【提出日】平成16年12月7日(2004.12.7)
【手続補正１】
【補正対象書類名】明細書
【補正対象項目名】全文
【補正方法】変更
【補正の内容】
【発明の詳細な説明】
【特許請求の範囲】
【請求項１】
支持箱（１）の一端に支持棒（２）を固着し、他の一端に設けた押さえ部（３）の部内に留め穴（１２）を設け、バネ棒（５）の中央部を丸棒（４）に固着し、その両端を各々当該留め穴（１２）に嵌着させ、ベルト（８）が丸棒（４）を挟み込む状態で押さえ部（３）の内側面を摺動し得るように取り付けるとともに、支持板（６）の一端にベルト（７）及びバネ板（９）を設け他の一端に湾曲部（１０）を設けることにより、支持箱（１）と支持板（６）とが支持棒（２）及び湾曲部（１０）を介して着脱可能となるように設けて構成したことを特徴とするベルト調節具。
【請求項２】
上下２枚のベルト（８）を重ね持って支持箱（１）の内部に向けて一定の長さ分押し込むと、当該２枚のベルト（８）は各々押さえ部（３）と丸棒（４）の外周との接触面を摺動して移動し、その後に、２枚のベルト（８）のいづれか１枚を支持箱（１）の外部に向けて引き出すと、前記同様に摺動して押し込んだ長さ分のベルト（８）が逆方向に移動し、その後、押さえ部（３）と丸棒（４）によって係止される。以上述べた操作を円滑に行えるように、押さえ部（３）と丸棒（４）及びバネ棒（５）を位置させて、即ち、ベルト（８）が丸棒（４）を巻き込んで係止されている際は丸棒（４）がベルト（８）を軽く押さえ部（３）に押しつける状態を保つことが出来るようにバネ棒（５）の弾力を保持させて丸棒（５）を設けて構成したことを特徴とする請求項１記載のベルト調節具。
【発明の詳細な説明】
【０００１】
【技術分野】  本発明は、ベルトの長さを簡単に調節出来る小型で軽量な器具に関するものである。【０００２】
【背景技術】  従来、ベルトの調節具としては、緩みやすいものや比較的大型のものが多いように思われる。参考文献として（実願昭７−５９６１号公報）（実願昭５３−１０９７４６号）を参照した。【０００３】
【発明が解決しようとする課題】
本発明は、前述のような問題点に鑑みて成されたものであり、バネ棒を設けた丸棒を挟み込んだベルトを押さえ部によって押さえることにより、簡単にベルトの長さの調節を行える器具を提供しようとするものである。
【０００４】  上記の目的を達成するために、支持箱の一端に支持棒を固着し、他の一端に設けた押さえ部の部内に留め穴を設け、バネ棒の中央部を丸棒に固着し、その両端を各々当該留め穴に嵌着させ、ベルトが丸棒を挟み込む状態で押さえ部の内側面を摺動し得るように取り付けるとともに、支持板の一端にベルト及びバネ板を設け、他の一端に湾曲部を設けることにより、支持箱と支持板とが支持棒及び湾曲部を介して着脱可能となるように設けて成るものである。
【０００５】  バネ棒は丸棒に設けた穴に嵌め込んで曲げ加工して取り付け、バネ棒の先端は十分な深さを有する留め穴に嵌め込んで脱落しにくいようにすると良い。
【０００６】
【発明を実施するための最良の形態】  発明の実施の形態について図面を参照して説明する。【０００７】  図１において、全体が小型で軽量化されている。【０００８】  図２においては、丸棒４の穴１１にバネ棒５が取り付けられ、バネ棒５の先端が留め穴１２に嵌め込まれ、支持棒２は支持箱１にかしめて固着されており、ベルト７は留め板１３、リベット１４、１５、１６、１７によって支持板６に取り付けられている。【０００９】  図３において、ベルト８は丸棒４を挟み込んで押さえ部３に留められており、支持板６は支持棒２に掛けられてバネ板９によってロックされている。そして、矢印は支持板６を外す際の方向を示す。【００１０】
【発明の効果】
本発明は、以上説明したように構成されているので以下に記載されているような効果を得ることができる。
【００１１】  支持板６を支持箱１から外した状態で支持箱１に係止されているベルト８の上下を、重ねた状態で支持箱１の内側方向に押し込むことにより、係止されていたベルト８を緩めることができる。そして、一定の長さに緩めた後、上下いずれか一方のベルト８を逆方向に引くことによって、ベルト８の長さを調節することができる。
【図面の簡単な説明】
【図１】  ベルト調節具の斜視図である。
【図２】  ベルト調節具の要部断面図である。
【図３】  ベルト調節具の要部縦断面図である。
【符号の説明】
１    支持箱
２    支持棒
３    押さえ部
４    丸棒
５    バネ棒
６    支持板
７、８    ベルト
９    バネ板
１０  湾曲部
１１  穴
１２  留め穴
１３  留め板
１４、１５、１６、１７    リベット
１８  バンド